(57)【要約】【課題】液晶表示装置を備えた携帯電話において、部品点数を少なくする。【解決手段】透明な樹脂からなるケース２ａの液晶表示パネル６の表示面と対向する部分によって、内面に凹部１１を有するプリスム部８が形成されている。そして、矢印Ａ方向で示すように、液晶表示部５の表示面の法線に対して１２時側に約３０°傾斜する方向からプリズム部８の外面８ａに入射された外光は、プリズム部８および液晶表示パネル６を透過して反射板７で反射される。この反射光は、液晶表示パネル６およびプリズム部８を透過して、矢印Ｂで示すように、プリズム部８の外面８ａのほぼ法線方向に出射される。この場合、ケース２ａの一部にプリズム部８を兼ねさせているので、専用のプリズムシートが不要となり、その分だけ部品点数を少なくすることができる。【選択図】        図４
2004280014.tif 000002
【特許請求の範囲】
【請求項１】
液晶表示パネルの表示面を覆うケースを備えた液晶表示装置において、前記ケースは透明な樹脂によって形成され、該ケースの前記液晶表示パネルの表示面と対向する部分によって、内面を凸凹とされたプリズム部が形成されていることを特徴とする液晶表示装置。
【請求項２】
液晶表示パネルの表示面を覆う保護板を有するケースを備えた液晶表示装置において、前記保護板は、透明な樹脂によって形成され、内面を凸凹とされたプリズム部を兼ねていることを特徴とする液晶表示装置。
【請求項３】
請求項１または２に記載の発明において、前記プリズム部は、前記液晶表示パネルの表示面の法線に対して１２時側の所定角度の斜め方向から入射される外光を最終的に前記液晶表示パネルの表示面のほぼ法線方向に出射させる光学特性を有することを特徴とする液晶表示装置。
【請求項４】
請求項３に記載の発明において、前記ケースは携帯電話のケースであることを特徴とする液晶表示装置。
【発明の詳細な説明】
【０００１】
【発明の属する技術分野】
この発明は液晶表示装置に関する。
【０００２】
【従来の技術】
反射型の液晶表示装置には、液晶表示パネルの表示面側とは反対側に反射板が設けられ、液晶表示パネルの表示面側にプリズムシートが設けられたものがある（例えば、特許文献１参照）。この場合、プリズムシートは、液晶表示パネルの表示面の法線に対して１２時側の所定角度の斜め方向から入射される外光を反射板で反射させて液晶表示パネルの表示面のほぼ法線方向に出射させるためのものである。
【０００３】
【特許文献１】
特開２００２−３４１３４１号公報
【０００４】
【発明が解決しようとする課題】
ところで、上記従来の液晶表示装置では、液晶表示パネルの表示面側にプリズムシートを設けているため、どちらかといえば部品点数が多いという問題があった。
そこで、この発明は、部品点数を少なくすることができる液晶表示装置を提供することを目的とする。
【０００５】
【課題を解決するための手段】
請求項１に記載の発明は、液晶表示パネルの表示面を覆うケースを備えた液晶表示装置において、前記ケースは透明な樹脂によって形成され、該ケースの前記液晶表示パネルの表示面と対向する部分によって、内面を凸凹とされたプリズム部が形成されていることを特徴とするものである。
請求項２に記載の発明は、液晶表示パネルの表示面を覆う保護板を有するケースを備えた液晶表示装置において、前記保護板は、透明な樹脂によって形成され、内面を凸凹とされたプリズム部を兼ねていることを特徴とするものである。
請求項３に記載の発明は、請求項１または２に記載の発明において、前記プリズム部は、前記液晶表示パネルの表示面の法線に対して１２時側の所定角度の斜め方向から入射される外光を最終的に前記液晶表示パネルの表示面のほぼ法線方向に出射させる光学特性を有することを特徴とするものである。
請求項４に記載の発明は、請求項３に記載の発明において、前記ケースは携帯電話のケースであることを特徴とするものである。
そして、この発明によれば、透明な樹脂からなるケースの一部あるいはケースに設けられた透明な樹脂からなる保護板にプリズム部を兼ねさせているので、専用のプリズムシートが不要となり、その分だけ部品点数を少なくすることができる。
【０００６】
【発明の実施の形態】
図１はこの発明の一実施形態としての液晶表示装置を備えた携帯電話の一例の斜視図を示し、図２は図１のＩＩ−ＩＩ線に沿う断面図を示す。この携帯電話では、操作キー部ケース１に表示部ケース２が軸３を介して回動可能に取り付けられている。操作キー部ケース１の表示部ケース２と対向する側の面において図１の一点鎖線で囲まれた領域には操作キー部４が設けられている。表示部ケース２の内部ほぼ中央部には液晶表示部５が設けられている。
【０００７】
液晶表示部５は、液晶表示パネル６、液晶表示パネル６の表示面とは反対側側に設けられた反射板７、液晶表示パネル６の表示面と対向する表示部ケース２の一部からなるプリズム部８などからなっている。液晶表示パネル６は、アクティブマトリクス型や単純マトリクス型などの液晶表示パネルであり、一対のガラス基板間に液晶（図示せず）が封入されたものからなっている。
【０００８】
ここで、表示部ケース２は、一対のケース２ａ、２ｂを備えている。このうち、図２において上面側となるケース２ａは透明な樹脂によって形成されている。そして、このケース２ａの液晶表示パネル６の表示面と対向する領域における内面には、液晶表示パネル６の表示面の横軸に沿う方向に延びる複数の断面三角形状の凹部１１が形成され、この凹部１１が形成された部分によってプリズム部８が形成されている。
【０００９】
プリズム部８は、後述する理由から、図３において矢印で示すように、液晶表示パネル６の表示面の法線に対して１２時側（図３で左側）の所定角度θの斜め方向から入射される外光を最終的に液晶表示パネル６の表示面のほぼ法線方向に出射させる光学特性を有するようになっている。
【００１０】
このため、図３に示すように、凹部１１のうち、左側（液晶表示パネル６の表示面の１２時側）の一方の傾斜面１１ａはプリズム部８の平坦な外面８ａに対して角度αの傾斜面となっており、他方の傾斜面１ｂはプリズム部８の平坦な外面８ａに対して角度βの傾斜面となっている。
【００１１】
一例として、上記所定角度θを約３０°とする場合には、プリズム部８つまりケース２ａの材料である透明な樹脂の屈折率が１．５８であると、角度αは２３°、角度βは９０°となっている。なお、凹部１１のピッチは、液晶表示パネル１の画素のピッチと同程度であり、一例として、５０μｍとなっている。
【００１２】
次に、上記構成の液晶表示部５を備えた携帯電話の使用状態について、図４を参照して説明する。まず、一般的に、携帯電話の使用に際し、液晶表示部５を黙視する場合には、液晶表示部５を水平面に対してある程度例えば４５°程度傾斜させて、液晶表示部５の表示面のほぼ法線方向から液晶表示部５の表示面を黙視することが多い。
【００１３】
また、液晶表示部５を水平面に対して４５°程度傾斜させた状態において、液晶表示部５に有効に取り込まれる外光は、液晶表示部５の表示面の法線に対して１２時側に１５〜４５°傾斜する方向から入射される外光が多い。そこで、代表して、図４において矢印Ａ方向で示すように、液晶表示部５の表示面の法線に対して１２時側に約３０°傾斜する方向から外光がプリズム部８の外面８ａに入射されるとする。
【００１４】
すると、この入射された外光は、図３において矢印で示すように、プリズム部８を透過してその傾斜面１１ａから出射され、さらに液晶表示パネル６を透過して反射板７で反射される。この反射光は、液晶表示パネル６を透過してその表示面側に出射され、さらにプリズム部８の傾斜面１１ａに入射され、プリズム部８を透過してその外面８ａから出射される。
【００１５】
この出射光は、プリズム部８の外面８ａのほぼ法線方向であるので、図４において矢印Ｂで示すように、使用者の目の方向に出射される。従って、使用者には明るい表示が観察される。
【００１６】
ところで、上記構成の液晶表示部５では、透明な樹脂からなるケース２ａの一部にプリズム部８を兼ねさせているので、専用のプリズムシートが不要となり、その分だけ部品点数を少なくすることができる。
【００１７】
なお、上記実施形態では、図２に示すように、プリズム部８を、液晶表示パネル６の表示面の横軸に沿う方向に延びる複数の断面三角形状の凹部１１を備えたものとした場合について説明したが、これに限定されるものではない。例えば、図５に示すこの発明の他の実施形態のように、プリズム部８を、液晶表示パネル６の表示面の横軸に沿う方向に延びる複数の断面三角形状の凸部１２を備えたものとしてもよい。
【００１８】
また、上記実施形態では、透明な樹脂からなるケース２ａの一部をプリズム部８とした場合について説明したが、これに限定されるものではない。例えば、図６に示すこの発明のさらに他の実施形態のように、アルミニウムなどの金属からなるケース２ａ、２ｂのうちの一方のケース２ａに形成された開口部１３の内面側に透明な樹脂からなるプリズム部８Ａを設けるようにしてもよい。この場合、プリズム部８Ａは、液晶表示パネル６の表示面を保護する保護板としての役目も兼ねている。
【００１９】
さらに、上記実施形態では、液晶表示パネル６の表示面とは反対側に反射板７を設けた場合について説明したが、これに限定されるものではない。例えば、図示していないが、液晶表示パネル６の表示面とは反対側のガラス基板の内面側に反射板を設けてよく、また同ガラス基板の内面側に設けられた画素電極に反射板を兼ねさせるようにしてもよい。
【００２０】
【発明の効果】
以上説明したように、この発明によれば、透明な樹脂からなるケースの一部あるいはケースに設けられた透明な樹脂からなる保護板にプリズム部を兼ねさせているので、専用のプリズムシートが不要となり、その分だけ部品点数を少なくすることができる。
【図面の簡単な説明】
【図１】この発明の一実施形態としての液晶表示装置を備えた携帯電話の一例の斜視図。
【図２】図１のＩＩ−ＩＩ線に沿う断面図。
【図３】図２の一部の拡大図。
【図４】図１に示す携帯電話の使用状態を説明するために示す図。
【図５】この発明の他の実施形態を説明するために示す図２同様の断面図。
【図６】この発明のさらに他の実施形態を説明するために示す図２同様の断面図。
【符号の説明】
１  操作キー部ケース
２  表示部ケース
２ａ  ケース
５  液晶表示部
６  液晶表示パネル
７  反射板
８、８Ａ  プリズム部
【図１】
2004280014.tif 000003
【図２】
2004280014.tif 000004
【図３】
2004280014.tif 000005
【図４】
2004280014.tif 000006
【図５】
2004280014.tif 000007
【図６】
2004280014.tif 000008